(57)【要約】【課題】本発明は電子銃を含む陰極線管を提供する。【解決手段】本発明の陰極線管はパネル、前記パネルの後段に融着されたファンネル、前記ファンネルに挿入されて、陰極から放出された電子ビームを集束させる集束電極を含む電子銃及び前記集束電極の内部または表面に設置されて前記整列された電子ビームの内で外郭に位置した電子ビームの一部または全体を取り囲むフィールドコントローラを含む。【選択図】図５
2009164097.tif 000002
【特許請求の範囲】
【請求項１】
パネルと、
前記パネルの後段に融着されたファンネル（ｆｕｎｎｅｌ）と、
前記ファンネルに挿入されて、陰極から放出された電子ビームを集束させる集束電極を含む電子銃と、
前記集束電極の内部または表面に設置されて前記整列された電子ビームの内で外郭に位置した電子ビームの一部または全体を取り囲むフィールドコントローラを含む陰極線管。
【請求項２】
前記フィールドコントローラは磁性体からなることを特徴とする、請求項１記載の陰極線管。
【請求項３】
前記集束電極は前記第１集束電極及び第２集束電極を含み、
前記フィールドコントローラは前記第１集束電極の表面に付着して、前記表面は前記第２集束電極に隣接することを特徴とする、請求項１記載の陰極線管。
【請求項４】
前記集束電極は前記第１集束電極及び第２集束電極を含み、
前記フィールドコントローラは前記第２集束電極の表面に付着して、前記表面は前記第１集束電極に隣接することを特徴とする、請求項１記載の陰極線管。
【請求項５】
前記外郭に位置した電子ビームは青色電子ビーム及び赤色電子ビームであることを特徴とする、請求項１記載の陰極線管。
【請求項６】
垂直偏向磁界を形成する垂直偏向磁界用コイルをさらに含み、
前記垂直偏向磁界用コイルの終り部分から前記フィールドコントローラの間の距離は ３０ｍｍ以上４５ｍｍ以下であることを特徴とする、請求項１記載の陰極線管。
【請求項７】
陰極から放出された電子ビームを制御する制御電極と、
前記電子ビームを加速する加速電極と、
前記電子ビームを集束させて、前記整列された電子ビームの内で外郭に位置した電子ビームの一部または全体を取り囲むフィールドコントローラが内部または表面に設置される集束電極を含む電子銃。
【請求項８】
前記フィールドコントローラは磁性体からなることを特徴とする、請求項７記載の電子銃。
【請求項９】
前記集束電極は前記第１集束電極及び第２集束電極を含み、
前記フィールドコントローラは前記第１集束電極の表面に付着して、前記表面は前記第２集束電極に隣接することを特徴とする、請求項７記載の電子銃。
【請求項１０】
前記集束電極は前記第１集束電極及び第２集束電極を含み、前記フィールドコントローラは前記第２集束電極の表面に付着して、前記表面は前記第１集束電極に隣接することを特徴とする、請求項７記載の電子銃。
【請求項１１】
前記外郭に位置した電子ビームは青色電子ビーム及び赤色電子ビームであることを特徴とする、請求項７記載の電子銃。
【発明の詳細な説明】
【技術分野】
【０００１】
本発明は陰極線管に関し、より詳しくは電子銃を含む陰極線管に関する。
【背景技術】
【０００２】
図１は垂直偏向磁界によって影響を受ける電子ビームを示すことである。図１に示されたように一般的な陰極線管は垂直偏向磁界を発生させて電子ビームの経路を制御する。しかし垂直偏向磁界はパレル（ｂａｒｒｅｌ）形態を帯びるので陰極線管の表示面の中央から遠くなるほど緑色電子ビームと青色電子ビームまたは赤色電子ビームの垂直コンバージェンス（Ｖｅｒｔｉｃａｌ
Ｃｏｎｖｅｒｇｅｎｃｅ） 特性が悪くなる。すなわち、垂直コンバージェンス偏差（ＶＣＲ）が大きくなるので画質が落ちるようになる。
【０００３】
図２は垂直コンバージェンス特性を向上させるためのＣＹコイルを示すのである。以上で説明されたようにパレル形態の垂直偏向磁界による垂直コンバージェンス特性を向上させるためにＣＹコイルが追加される。ＣＹコイルは図２に示されたように、パレル形態の垂直偏向磁界を償う補償磁界を生成することで垂直コンバージェンス偏差を減らす。
しかしＣＹコイルは陰極線管の製造費用を増加させる。
【発明の開示】
【発明が解決しようとする課題】
【０００４】
本発明の目的は、製造費用を減らすことができる陰極線管を提供するためのことだ。
【課題を解決するための手段】
【０００５】
本発明の陰極線管はパネル、前記パネルの後段に融着されたファンネル、前記ファンネルに挿入されて、陰極から放出された電子ビームを集束させる集束電極を含む電子銃及び前記集束電極の内部または表面に設置されて前記整列された電子ビームの内で外郭に位置した電子ビームの一部または全体を取り囲むフィールドコントローラを含む。
【０００６】
前記フィールドコントローラは磁性体からなることができる。
【０００７】
前記集束電極は前記第１集束電極及び第２集束電極を含み、前記フィールドコントローラは前記第１集束電極の表面に付着して、前記表面は前記第２集束電極に隣接することができる。
【０００８】
前記集束電極は前記第１集束電極及び第２集束電極を含み、前記フィールドコントローラは前記第２集束電極の表面に付着して、前記表面は前記第１集束電極に隣接することができる。
【０００９】
前記外郭に位置した電子ビームは青色電子ビーム及び赤色電子ビームであることができる。
【００１０】
本発明の陰極線管は垂直偏向磁界を形成する垂直偏向磁界用コイルをさらに含み、前記垂直偏向磁界用コイルの終り部分から前記フィールドコントローラの間の距離は３０ｍｍ以上４５ｍｍ以下であることがある。
【００１１】
本発明の陰極線管は陰極から放出された電子ビームを制御する制御電極、前記電子ビームを加速する加速電極、前記電子ビームを集束させて、前記整列された電子ビームの内で外郭に位置した電子ビームの一部または全体を取り囲むフィールドコントローラが内部または表面に設置される集束電極を含む。
【００１２】
前記フィールドコントローラは磁性体からなることができる。
【００１３】
前記集束電極は前記第１集束電極及び第２集束電極を含み、前記フィールドコントローラは前記第１集束電極の表面に付着して、前記表面は前記第２集束電極に隣接することができる。
【００１４】
前記集束電極は前記第１集束電極及び第２集束電極を含み、前記フィールドコントローラは前記第２集束電極の表面に付着して、前記表面は前記第１集束電極に隣接することができる。
【００１５】
前記外郭に位置した電子ビームは青色電子ビーム及び赤色電子ビームであることができる。
【発明の効果】
【００１６】
本発明はフィールドコントローラを含むことで陰極線管の製造費用を減らすことができる。
【発明を実施するための最良の形態】
【００１７】
以下では本発明に係る具体的な実施形態を添付された図面を参照して説明する。
【００１８】
図３は本発明の実施形態に係る陰極線管を示すのである。図３に示されたように、本発明の実施形態に係る陰極線管はＲｅｄ光を放出する蛍光体１、Ｇｒｅｅｎ光を放出する蛍光体１、Ｂｌｕｅ光を放出する蛍光体１が塗布されて前面部に防爆手段が固定されているパネル２、パネル２の後段に融着されたファンネル３、ファンネル３のネック部に挿入されて電子ビームを放出する電子銃４、電子銃４の電子ビームを偏向させる偏向ヨーク（ＤＹ）、パネル２の内側に一定なた間隔を置いて装着されて電子ビームがパスするように複数の穴が形成されたシャドーマスク５を含む。
【００１９】
電子銃４は陰極４１内部に内蔵したヒーターがステムピン（ＳＰ）から電源を供給受けて電子を放出させて、放出された電子はシャドーマスク５をパスして蛍光体１を打撃する。   これによって蛍光体１で光が発生して画像が表示される。
【００２０】
陰極４１から放出された電子は制御電極４２によって制御されて、加速電極４３によって電子ビームが加速される。
そして、第3電極４４ａと第４電極４４ｂ、そして第１集束電極４５によって電子ビームが一部集束及び加速される。第２集束電極４６とアノード電極４７は電子ビームを本格的に集束及び加速させることで主レンズを形成する。本発明の実施形態の陰極線管は第１集束電極４５及び第２集束電極４６を含むが一つの集束電極で電子ビームを集束させることもできる。
【００２１】
図４及び図５は図３の陰極線管に含まれた電子銃の第１実施形態を示すのである。図４は第１実施形態の電子銃の側面を示したことで、図５は第１実施形態の電子銃に設置されたフィールドコントローラ（ＦＣ）の正面図を示すのである。図４及び図５に示されたように、第１実施形態の電子銃はフィールドコントローラ（ＦＣ）を含む。フィールドコントローラ（ＦＣ）は第１集束電極４５の表面に付着して、第１集束電極４５の表面は第２集束電極４６に隣接する。この時第２集束電極４６は第１集束電極４５とアノード電極４７の間に位置する。
【００２２】
図５に示されたように、フィールドコントローラ（ＦＣ）は磁性体からなり、整列された電子ビーム（ＢＢ、ＧＢ、ＲＢ）の内外郭に位置した電子ビーム（ＢＢ、ＲＢ）の一部または全体を取り囲んで、中央に位置した電子ビーム（ＧＢ）は取り囲まない。ＢＢ、ＧＢ及びＲＢはそれぞれ青色電子ビーム、緑色電子ビーム、及び赤色電子ビームを示す。電子ビームの順序では異なりに配置可能である。
【００２３】
このようにフィールドコントローラ（ＦＣ）が外郭に位置した電子ビーム（ＢＢ、ＲＢ）の一部または全体を取り囲むのでフィールドコントローラ（ＦＣ）によって形成された補償磁界はフィールドコントローラ（ＦＣ）に付いて形成されている途中フィールドコントローラ（ＦＣ）が取り囲まない中央の電子ビーム（ＧＢ）近所で中央の電子ビーム（ＧＢ）方向に向かうように形成される。中央の電子ビーム（ＧＢ）方向に向かう補償磁界と外郭電子ビーム（ＢＢ、ＲＢ）に対する磁界遮蔽で図１に示されたバレル型垂直偏向磁界を償うので垂直コンバージェンス特性が改善する。すなわち、フィールドコントローラ（ＦＣ）によって形成された補償磁界は図１に示されたバレル型垂直偏向磁界の中央部分を相殺する方向に形成されるので、垂直コンバージェンス特性が改善する。
【００２４】
図６は図３の陰極線管に含まれた電子銃の第２実施形態を示すのである。 第２実施形態の電子銃は第１集束電極４５と第２集束電極４６を含み、フィールドコントローラ（ＦＣ）は第２集束電極４６の表面に付着する。第２集束電極４６の表面は第１集束電極４５に隣接する。図６のフィールドコントローラ（ＦＣ）また磁性体からなる。図６のフィールドコントローラ（ＦＣ）の形象及び機能は図５に示されたフィールドコントローラ（ＦＣ）の形象及び機能と同一であることで詳細な説明は省略される。
【００２５】
図７は図３の陰極線管に含まれた電子銃の第３実施形態を示すのである。第３実施形態の電子銃は第１ または第２実施形態の第１集束電極４５及び第２集束電極４６が結合された集束電極４５’を含む。図７に示されたように第３実施形態の電子銃は集束電極４５’の内部に設置されたフィールドコントローラ（ＦＣ）を含む。図７のフィールドコントローラ（ＦＣ）の形象及び機能は図５に示されたフィールドコントローラ（ＦＣ）の形象と同一であるので詳細な説明は省略される。
【００２６】
図８に示されたように、フィールドコントローラがシールドカップに付着して偏向ヨーク（ＤＹ）の垂直偏向磁界用コイル（ＶＣ）の端とフィールドコントローラの間の距離（d）が小さすぎる場合、中央電子ビーム（ＧＢ）と外郭電子ビーム（ＲＢ、ＢＢ）の間の磁界差があまり大きくなる。これによって図９に示されたように画面の１０時及び２時方向でＲ電子ビーム及びＢ電子ビームによるスポット（ｓｐｏｔ）特性が従来のＣＹコイルが含まれた陰極線管のＲ電子ビーム及びＢ電子ビームによる１０時及び２時方向のスポット（ｓｐｏｔ）特性より悪くなって画面周辺部でフォーカスが劣化される現象を示す。
【００２７】
図１０は本発明の第１乃至第３実施形態の電子銃のようにフィールドコントローラが集束電極に付着する場合垂直コンバージェンス特性を示すのである。本発明の電子銃のようにフィールドコントローラが集束電極に付着する場合、図８のようにフィールドコントローラと偏向ヨーク（ＤＹ）の間の距離（Ｄ）が増加してＲ電子ビーム及びＢ電子ビームの１０時及び２時方向の垂直コンバージェンス特性がＣＹコイルが含まれた陰極線管の赤色電子ビーム及びＢ電子ビームの１０時及び２時方向の垂直コンバージェンス特性とほとんど類似することを分かる。
【００２８】
それで、偏向ヨーク（ＤＹ）の垂直偏向磁界用コイル（ＶＣ）終り部分で電子銃のフィールドコントローラの間の距離（Ｄ）は３０ｍｍ以上４５ｍｍ以下であることがある。３０ｍｍ以下である場合図９に示されたようにスポット特性が悪くなって４５ｍｍ以上場合垂直偏向磁界に対する外郭電子ビームの磁界遮蔽効果が落ちてコンバージェンス問題を起こすからである。
【図面の簡単な説明】
【００２９】
【図１】垂直偏向磁界によって影響を受ける電子ビームを示す図。
【図２】コンバージェンス特性を向上させるためのＣＹコイルを示す図。
【図３】本発明の実施形態に係る陰極線管を示す図。
【図４】図３の陰極線管に含まれた電子銃の第１実施形態を示す図。
【図５】図３の陰極線管に含まれた電子銃の第１実施形態を示す図。
【図６】図３の陰極線管に含まれた電子銃の第２実施形態を示す図。
【図７】図３の陰極線管に含まれた電子銃の第３実施形態を示す図。
【図８】偏向ヨークの垂直偏向磁界用コイルの終り部分でフィールドコントローラの間の距離を示す図。
【図９】フィールドコントローラがシールドカップに付着する場合画面上での スポット特性を示す図。
【図１０】本発明の第１乃至第３実施形態の電子銃のようにフィールドコントローラがシールドカップに付着する場合画面上でのスポット特性を示す図。
【図１】
2009164097.tif 000003
【図２】
2009164097.tif 000004
【図３】
2009164097.tif 000005
【図４】
2009164097.tif 000006
【図５】
2009164097.tif 000007
【図６】
2009164097.tif 000008
【図７】
2009164097.tif 000009
【図８】
2009164097.tif 000010
【図９】
2009164097.tif 000011
【図１０】
2009164097.tif 000012